(57)【要約】【課題】無駄な消費電力を低減できるファクシミリ装置およびファクシミリ装置の電源制御方法を提供する。【解決手段】回線コントローラボード１６上の電源ＶＣＣから外付け電話検出回路１８への電源供給ラインに電源制御スイッチ３１を設ける。回線制御デバイス１７は、外付け電話機２２と公衆回線２０との接続／切り離しを切り替えるメカニカルスイッチ２１へのリレー制御信号Ｄ１の送出と同期して、電源制御スイッチ３１に電源制御信号Ｄ４を送出する。電源制御スイッチ３１は、外付け電話機２２が公衆回線２０から切り離されている間は外付け電話検出回路１８に対して電源ＶＣＣ１が供給され、外付け電話機２２が公衆回線２０に接続されている間は外付け電話検出回路１８に対する電源供給が遮断されるように、電源制御信号Ｄ４に応じて開閉動作する。【選択図】図３
2012019280.tif 000002
【特許請求の範囲】
【請求項１】
外付け電話機を接続可能なファクシミリ装置において、
前記外付け電話機と公衆回線との接続／切り離しを切り替える切り替え手段と、
前記外付け電話機が公衆回線から切り離されている場合に前記外付け電話機に接続され、前記外付け電話機のオフフック状態を検出するオフフック検出手段と、
前記オフフック検出手段によりオフフック状態が検出されたとき、または前記外付け電話機への呼び出し信号を受信したときに前記外付け電話機を公衆回線に接続し、前記外付け電話機がオンフック状態となったときに前記外付け電話機を公衆回線から切り離すように、前記切り替え手段の動作を制御する回線制御手段と、
前記外付け電話機が公衆回線から切り離されている間は前記オフフック検出手段に電源を供給し、前記外付け電話機が公衆回線に接続されている間は前記オフフック検出手段への電源供給を遮断する第１の電源制御手段と、を備えることを特徴とするファクシミリ装置。
【請求項２】
前記外付け電話機が公衆回線から切り離されている場合に前記外付け電話機に接続され、前記外付け電話機のダイヤル操作を検出するダイヤル検出手段と、
前記オフフック検出手段によりオフフック状態が検出されたときに前記ダイヤル検出手段への電源供給を開始し、前記外付け電話機をオンフックしたときに前記ダイヤル検出手段への電源供給を遮断する第２の電源制御手段と、をさらに備えることを特徴とする請求項１に記載のファクシミリ装置。
【請求項３】
前記外付け電話機が公衆回線から切り離されている場合に前記外付け電話機に接続され、前記外付け電話機のダイヤル操作を検出するダイヤル検出手段をさらに備え、
前記第１の電源制御手段は、前記外付け電話機が公衆回線から切り離されている間は前記オフフック検出手段および前記ダイヤル検出手段に電源を供給し、前記外付け電話機が公衆回線に接続されている間は前記オフフック検出手段および前記ダイヤル検出手段への電源供給を遮断することを特徴とする請求項１に記載のファクシミリ装置。
【請求項４】
前記外付け電話機が公衆回線から切り離されている場合に前記外付け電話機に接続され、前記外付け電話機への呼び出し信号が前記回線制御手段により受信されたときに前記外付け電話機を擬似鳴動させる擬似鳴動手段と、
前記回線制御手段が前記外付け電話機への呼び出し信号を受信したときに前記擬似鳴動手段への電源供給を開始し、前記外付け電話機がオフフック状態となったとき、または前記外付け電話機の擬似鳴動が所定時間継続されたときに前記擬似鳴動手段への電源供給を遮断する第３の電源制御手段と、をさらに備えることを特徴とする請求項１〜３のいずれか一項に記載のファクシミリ装置。
【請求項５】
前記外付け電話機をファクシミリ装置に接続したことを示す設定情報の入力を受け付ける設定情報入力手段をさらに備え、
前記第１の電源制御手段は、前記設定情報が入力されている場合には、前記外付け電話機が公衆回線から切り離されている間は前記オフフック検出手段に電源を供給し、前記外付け電話機が公衆回線に接続されている間は前記オフフック検出手段への電源供給を遮断し、前記設定情報が入力されていない場合には、前記オフフック検出手段への電源供給を遮断した状態を維持することを特徴とする請求項１〜４のいずれか一項に記載のファクシミリ装置。
【請求項６】
外付け電話機と公衆回線との接続／切り離しを切り替える切り替え手段と、
前記外付け電話機が公衆回線から切り離されている場合に前記外付け電話機に接続され、前記外付け電話機のオフフック状態を検出するオフフック検出手段と、
前記オフフック検出手段によりオフフック状態が検出されたとき、または前記外付け電話機への呼び出し信号を受信したときに前記外付け電話機を公衆回線に接続し、前記外付け電話機がオンフック状態となったときに前記外付け電話機を公衆回線から切り離すように、前記切り替え手段の動作を制御する回線制御手段と、を備えるファクシミリ装置の電源制御方法であって、
前記外付け電話機が公衆回線から切り離されている間は前記オフフック検出手段に電源を供給し、前記外付け電話機が公衆回線に接続されている間は前記オフフック検出手段への電源供給を遮断することを特徴とするファクシミリ装置の電源制御方法。
【発明の詳細な説明】
【技術分野】
【０００１】
本発明は、外付け電話機を接続可能なファクシミリ装置およびファクシミリ装置の電源制御方法に関する。
【背景技術】
【０００２】
従来、公衆回線を利用してデータを送受信するファクシミリ装置においては、電話機を外付けで接続できるものがある。このような外付け電話機を接続可能なファクシミリ装置は、外付け電話機を公衆回線に接続したままの状態にすると、ファクシミリ通信のために呼び出しがあったときでも外付け電話機が鳴動してしまうことになる。そこで、外付け電話機を接続可能なファクシミリ装置では、外付け電話機と公衆回線との接続／切り離しを切り替えるためのメカニカルスイッチ（リレー）を実装し、通常時は外付け電話機を公衆回線から切り離しておき、外付け電話機がオフフック状態（受話器を外した状態）となったときや、外付け電話機への呼び出し信号を受信したときに、外付け電話機を公衆回線に接続するようにしているのが一般的である。
【０００３】
また、外付け電話機を接続可能なファクシミリ装置では、外付け電話機が公衆回線から切り離された状態で外付け電話機がオンフック状態（受話器を置いた状態）からオフフック状態に切り替わったときにこれを検出して公衆回線に接続できるようにするために、外付け電話機のオフフック状態を検出する回路などを別途設けることも知られている。例えば、特許文献１には、外付け電話機を公衆回線から切り離していても外付け電話機のオフフック状態を検出できるオフフック検出回路について記載されている。
【発明の概要】
【発明が解決しようとする課題】
【０００４】
しかしながら、外付け電話機を接続可能な従来のファクシミリ装置では、公衆回線から切り離された外付け電話機のオフフック状態を検出する回路に対して、外付け電話機が公衆回線に接続されている間も常に電源供給を行っていたため、無駄に電力を消費しているという問題があった。
【０００５】
本発明は、上記に鑑みてなされたものであって、無駄な消費電力を低減できるファクシミリ装置およびファクシミリ装置の電源制御方法を提供することを目的としている。
【課題を解決するための手段】
【０００６】
上述した課題を解決し、目的を達成するために、本発明は、外付け電話機を接続可能なファクシミリ装置において、前記外付け電話機と公衆回線との接続／切り離しを切り替える切り替え手段と、前記外付け電話機が公衆回線から切り離されている場合に前記外付け電話機に接続され、前記外付け電話機のオフフック状態を検出するオフフック検出手段と、前記オフフック検出手段によりオフフック状態が検出されたとき、または前記外付け電話機への呼び出し信号を受信したときに前記外付け電話機を公衆回線に接続し、前記外付け電話機がオンフック状態となったときに前記外付け電話機を公衆回線から切り離すように、前記切り替え手段の動作を制御する回線制御手段と、前記外付け電話機が公衆回線から切り離されている間は前記オフフック検出手段に電源を供給し、前記外付け電話機が公衆回線に接続されている間は前記オフフック検出手段への電源供給を遮断する第１の電源制御手段と、を備えることを特徴とする。
【０００７】
また、本発明は、外付け電話機と公衆回線との接続／切り離しを切り替える切り替え手段と、前記外付け電話機が公衆回線から切り離されている場合に前記外付け電話機に接続され、前記外付け電話機のオフフック状態を検出するオフフック検出手段と、前記オフフック検出手段によりオフフック状態が検出されたとき、または前記外付け電話機への呼び出し信号を受信したときに前記外付け電話機を公衆回線に接続し、前記外付け電話機がオンフック状態となったときに前記外付け電話機を公衆回線から切り離すように、前記切り替え手段の動作を制御する回線制御手段と、を備えるファクシミリ装置の電源制御方法であって、前記外付け電話機が公衆回線から切り離されている間は前記オフフック検出手段に電源を供給し、前記外付け電話機が公衆回線に接続されている間は前記オフフック検出手段への電源供給を遮断することを特徴とする。
【発明の効果】
【０００８】
本発明によれば、外付け電話機が公衆回線から切り離されてオフフック検出回路に接続されている場合にのみオフフック検出回路への電源供給が行われるので、無駄な消費電力を低減できるという効果を奏する。
【図面の簡単な説明】
【０００９】
【図１】図１は、実施形態に係るファクシミリ装置の概略構成図である。
【図２】図２は、従来のファクシミリ装置が備えるコントローラボードのブロック図である。
【図３】図３は、第１実施例におけるコントローラボードのブロック図である。
【図４】図４は、外付け電話検出回路に対する電源制御のシーケンス図である。
【図５】図５は、回線制御デバイスによる外付け電話検出回路に対する電源制御のフローチャートである。
【図６】図６は、第２実施例におけるコントローラボードのブロック図である。
【図７】図７は、擬似鳴動回路を備えた従来のファクシミリ装置におけるコントローラボードのブロック図である。
【図８】図８は、第３実施例におけるコントローラボードのブロック図である。
【図９】図９は、第４実施例におけるコントローラボードのブロック図である。
【図１０】図１０は、第５実施例におけるコントローラボードのブロック図である。
【発明を実施するための形態】
【００１０】
以下に添付図面を参照して、この発明に係るファクシミリ装置およびファクシミリ装置の電源制御方法の最良な実施の形態を詳細に説明する。
【００１１】
本実施形態のファクシミリ装置は、外付け電話機を接続可能なファクシミリ装置であり、装置本体に接続された外付け電話機と公衆回線との接続／切り離しをメカニカルスイッチによって切り替えられるようにしている。また、このファクシミリ装置は、外付け電話機が公衆回線から切り離された状態でオフフック状態になったときにこれを検出するオフフック検出回路と、外付け電話機が公衆回線から切り離された状態での外付け電話機のダイヤル操作を検出するダイヤル検出回路（以下、オフフック検出回路およびダイヤル検出回路を総称して「外付け電話検出回路」という。）を備えている。
【００１２】
外付け電話検出回路は、メカニカルスイッチの動作により外付け電話機が公衆回線から切り離された場合に外付け電話機と接続されて使用されるものである。したがって、この外付け電話検出回路の電源は、外付け電話機が公衆回線から切り離されている場合にのみ供給されればよい。そこで、本実施形態のファクシミリ装置では、外付け電話機と公衆回線との接続／切り離しを切り替えるメカニカルスイッチの動作を制御するソフト制御に同期して（同じ信号線を使って）外付け電話検出回路の電源供給を制御し、外付け電話機が公衆回線から切り離されて外付け電話検出回路に接続されている場合にのみ外付け電話検出回路への電源供給が行われるようにしている。
【００１３】
（ファクシミリ装置の全体構成）
まず、本実施形態のファクシミリ装置の全体構成について説明する。図１は、本実施形態のファクシミリ装置１の概略構成図である。同図に示すように、本実施形態のファクシミリ装置１は、制御部１１、操作表示部１２、ＦＡＸコントローラボード（ＦＣＵ）１３、スキャナ１４、プロッタ１５を備え、これらの装置がシステムバス１９を介して接続されている。また、ＦＡＸコントローラボード（ＦＣＵ）１３には、回線コントローラボード（ＣＣＵ）１６が接続されている。回線コントローラボード（ＣＣＵ）１６には、回線制御デバイス１７および外付け電話検出回路１８が搭載されている。
【００１４】
本実施形態のファクシミリ装置１は、回線コントローラボード１６上の回線制御デバイス１７を介して公衆回線２０に接続されている。また、本実施形態のファクシミリ装置１は、メカニカルスイッチ（リレー）２１を備えており、このメカニカルスイッチ２１に外付け電話機２２が接続されている。メカニカルスイッチ２１は、回線制御デバイス１７から送出されるリレー制御信号によってその動作が制御され、外付け電話機２２を公衆回線２０と外付け電話検出回路１８とのいずれかに選択的に接続させる。
【００１５】
制御部１１は、内蔵されたプログラムに従ってファクシミリ装置の全体を管理、制御するものである。
【００１６】
操作表示部１２は、ユーザによる各種の設定情報の入力を受け付ける入力部と、ユーザに対して各種情報表示を行う表示部とを有する。
【００１７】
ＦＡＸコントローラボード（ＦＣＵ）１３は、ＦＡＸ制御デバイス２５およびメモリ２６を有している。ＦＡＸ制御デバイス２５は、システムバス１９の制御やメモリ２６の制御を行う。また、ＦＡＸ制御デバイス２５は、ＤＣＲ（画像情報圧縮再生部）機能を有する。メモリ２６は、画像情報をページ単位で一時的に格納しておくことができるページメモリや、各種プログラムおよび制御データを格納しておく記憶装置などからなる。
【００１８】
スキャナ１４は、原稿の画像を読み取る読み取り装置である。
【００１９】
プロッタ１５は、例えばＦＡＸ制御デバイス２５内のＤＣＲ機能によって復号化された受信画像情報をメモリ２６を介して印字出力する出力装置である。
【００２０】
回線コントローラボード（ＣＣＵ）１６は、ファクシミリデータの送受信を制御する通信制御装置であり、通信のための信号変換や誤り制御などを行う機能を有している。回線コントローラボード（ＣＣＵ）１６は、ＦＡＸコントローラボード（ＦＣＵ）１３内のＦＡＸ制御デバイス２５に接続されている。スキャナ１４で読み取られた画像データは、ＦＡＸ制御デバイス２５のＤＣＲ機能により符号化（圧縮）されて回線コントローラボード（ＣＣＵ）１６内の回線制御デバイス１７に伝送される。また、ＦＡＸ制御デバイス２５のＤＣＲ機能は、回線制御デバイス１７が受信したファクシミリデータ（受信画像情報）の復号化（伸張）も行う。
【００２１】
回線制御デバイス１７は、ファクシミリ装置１を公衆回線２０に接続し、公衆回線２０を利用したファクシミリデータの送受信を実行制御する網制御装置である。また、回線制御デバイス１７は、外付け電話検出回路１８からのオフフック検出信号などに応じて外付け電話機２２と公衆回線２０との接続要否を判断し、メカニカルスイッチ２１にリレー制御信号を送出してメカニカルスイッチ２１の動作を制御する。この回線制御デバイス１７には、例えばモデムなどが用いられる。
【００２２】
外付け電話検出回路１８は、メカニカルスイッチ２１の動作により外付け電話機２２が公衆回線２０から切り離された場合に外付け電話機２２と接続される回路であり、本実施形態では、上述したオフフック検出回路とダイヤル検出回路とを含む。オフフック検出回路は、外付け電話機２２が公衆回線２０から切り離されているときに、外付け電話機２２に対して例えば２４Ｖの電源を供給し続け、外付け電話機２２の受話器が取られて２４Ｖ電源の電流が流れ出したときにこの電流を検知することで、外付け電話機２２の受話器が取られたこと（オフフック状態）を検出する回路である。また、ダイヤル検出回路は、外付け電話機２２のＰＢ／ＤＰのダイヤル番号が押されたことを検出する回路である。オフフック検出回路は、公衆回線２０から切り離されている外付け電話機２２のオフフック状態を検出すると、回線制御デバイス１７に対してオフフック検出信号を送出する。また、ダイヤル検出回路は、公衆回線２０から切り離されている外付け電話機２２のダイヤル操作を検出すると、ダイヤル操作に応じたＤＴＭＦ（Dial(Dual) Tone Multi-Frequency）／ダイヤルパルスを検出する信号を回線制御デバイス１７に対して送出する。
【００２３】
（第１実施例）
次に、以上のように構成されるファクシミリ装置１の外付け電話検出回路１８への電源供給制御の具体的な一例（第１実施例）について、図２および図３を参照して説明する。図２は、従来のファクシミリ装置が備える回線コントローラボードのブロック図、図３は、第１実施例における回線コントローラボード１６のブロック図である。なお、図２の従来例において、本実施形態のファクシミリ装置１と共通する構成要素には同一の符号を付している。
【００２４】
ユーザは、ファクシミリ装置１に付属している外付け電話機２２を使って電話する場合、外付け電話機２２をファクシミリ装置１に接続し、ファクシミリ装置１の回線コントローラボード１６を経由して外付け電話機２２を公衆回線２０に接続して、通話を行う。一方、公衆回線２０から回線コントローラボード１６を含むファクシミリ装置１に発呼する場合、公衆回線２０に外付け電話機２２が接続されたままになっていると、発呼要因がファクシミリ要因であっても外付け電話機２２は鳴動してしまう。このため、ファクシミリ装置１のユーザは、ファクシミリ装置１に対して、電話が掛かってきたと思い、外付け電話機２２の受話器を取る行為をするが、着呼がファクシミリ要因であった場合、ユーザは無駄な行為をしたことになる。
【００２５】
この問題を解消するため、従来のファクシミリ装置および本実施形態のファクシミリ装置１では、図２や図３に示すように、回線コントローラボード１６にメカニカルスイッチ２１を実装し、外付け電話機２２をこのメカニカルスイッチ２１に接続するようにしている。そして、回線制御デバイス１７がメカニカルスイッチ２１にリレー制御信号Ｄ１を送出してメカニカルスイッチ２１の動作を制御し、外付け電話機２２と公衆回線２０との接続／切り離しを切り替えるようにしている。具体的には、回線制御デバイス１７は、例えば、外付け電話機２２がオフフック状態になったときや、ファクシミリ装置１への着呼が電話要因であると判断されたとき（つまり、外付け電話機２２への呼び出し信号を受信したとき）にハイレベルのリレー制御信号Ｄ１を送出して、外付け電話機２２を公衆回線２０に接続し、外付け電話機２２がオンフック状態となったときはローレベルのリレー制御信号Ｄ１を送出して、外付け電話機２２を公衆回線２０から切り離すようにしている。
【００２６】
ここで、外付け電話機２２を公衆回線２０に接続している状態では、外付け電話機２２のオフフック状態やダイヤル操作は回線制御デバイス１７によって検出可能であるが、メカニカルスイッチ２１により外付け電話機２２を公衆回線２０から切り離した状態では、外付け電話機２２は同時に回線制御デバイス１７からも切り離されるため、外付け電話機２２のオフフック状態などを検出できなくなってしまう。そのため、オフフック検出回路やダイヤル検出回路を含む外付け電話検出回路１８を設けて、公衆回線２０から切り離された外付け電話機２２をこの外付け電話検出回路１８に接続し、外付け電話機２２が公衆回線２０から切り離されているときは、この外付け電話検出回路１８でオフフックの検出やダイヤル検出を行うようにしている。なお、図２や図３において、Ｄ２は、外付け電話検出回路１８で外付け電話機２２のオフフック状態が検出されたときに回線制御デバイス１７に送出されるオフフック検出信号を示し、Ｄ３は、外付け電話検出回路１８で外付け電話機２２のダイヤル操作が検出されたときに回線制御デバイス１７に送出されるＤＴＭＦ／ダイヤルパルスを検出する信号を示している。
【００２７】
外付け電話検出回路１８は、上記のように、メカニカルスイッチ２１の動作により外付け電話機２２が公衆回線２０から切り離された場合に外付け電話機２２と接続されて使用されるものである。しかしながら、従来のファクシミリ装置では、図２に示すように、回線コントローラボード１６上の電源ＶＣＣを回線制御デバイス１７と共通に外付け電話検出回路１８に対しても供給する構成としているため、外付け電話機２２が公衆回線２０に接続されている状態、つまり外付け電話機２２が外付け電話検出回路１８に接続されていない場合であっても外付け電話検出回路１８に対して電源供給が行われ、無駄に電力を消費している問題があった。
【００２８】
これに対して、本実施形態のファクシミリ装置１では、図３に示すように、回線コントローラボード１６上の電源ＶＣＣから外付け電話検出回路１８への電源供給ラインに、外付け電話検出回路１８への電源供給を制御するための電源制御スイッチ３１を設けている。そして、回線制御デバイス１７が、メカニカルスイッチ２１に対してリレー制御信号Ｄ１を送出するのと同期して電源制御スイッチ３１に対して電源制御信号Ｄ４を送出することで電源制御スイッチ３１の動作を制御し、外付け電話機２２が公衆回線２０から切り離されている間は外付け電話検出回路１８に対して電源ＶＣＣ１が供給され、外付け電話機２２が公衆回線２０に接続されている間は外付け電話検出回路１８への電源供給が遮断されるようにしている。なお、本実施形態のファクシミリ装置１において、回線制御デバイス１７からの電源制御信号Ｄ４に応じて動作制御される電源制御スイッチ３１が、特許請求の範囲に記載の「第１の電源制御手段」に相当する。
【００２９】
図４は、外付け電話検出回路１８に対する電源制御のシーケンス図である。回線制御デバイス１７は、例えば時刻Ｔ０においてファクシミリ装置１の電源が投入され、回線コントローラボード１６上の電源ＶＣＣが供給されることにより起動する。このとき、回線制御デバイス１７は、メカニカルスイッチ２１に対してローレベルのリレー制御信号Ｄ１を送出して外付け電話機２２を公衆回線２０から切り離すようにしている。また、回線制御デバイス１７は、メカニカルスイッチ２１に対してローレベルのリレー制御信号Ｄ１を送出している間、電源制御スイッチ３１に対してローレベルの電源制御信号Ｄ４を送出している。電源制御スイッチ３１は、ローレベルの電源制御信号Ｄ４が入力されている状態ではスイッチを閉結する。これにより、外付け電話検出回路１８に対して電源ＶＣＣ１が供給される。
【００３０】
その後、時刻Ｔ１において、外付け電話機２２がオフフック状態になったことが外付け電話検出回路１８により検出されてオフフック検出信号Ｄ２が送出された場合、あるいは、外付け電話機２２への呼び出し信号を受信した場合に、回線制御デバイス１７は、メカニカルスイッチ２１に対してハイレベルのリレー制御信号Ｄ１を送出して外付け電話機２２を公衆回線２０に接続させる。また、回線制御デバイス１７は、メカニカルスイッチ２１に対してハイレベルのリレー制御信号Ｄ１を送出するのに同期して、電源制御スイッチ３１に対してハイレベルの電源制御信号Ｄ４を送出する。電源制御スイッチ３１は、ハイレベルの電源制御信号Ｄ４が入力されるとスイッチを開放し、外付け電話検出回路１８に対する電源供給を遮断する。
【００３１】
その後、時刻Ｔ２において、ユーザによる外付け電話機２２の使用が終了して外付け電話機２２がオンフック状態となると、回線制御デバイス１７は、メカニカルスイッチ２１に対してローレベルのリレー制御信号Ｄ１を送出して外付け電話機２２を公衆回線２０から切り離す。また、回線制御デバイス１７は、メカニカルスイッチ２１に対してローレベルのリレー制御信号Ｄ１を送出するのに同期して、電源制御スイッチ３１に対してローレベルの電源制御信号Ｄ４を送出し、外付け電話検出回路１８に対する電源ＶＣＣ１の供給を再開させる。
【００３２】
図５は、回線制御デバイス１７による外付け電話検出回路１８に対する電源制御のフローチャートである。この図５のフローチャートで示す制御は、ファクシミリ装置１の電源が投入されて回線制御デバイス１７が起動されることにより開始される。
【００３３】
図５のフローが開始されると、回線制御デバイス１７は、まずステップＳ１０１において、メカニカルスイッチ２１に対してローレベルのリレー制御信号Ｄ１を送出するとともに、電源制御スイッチ３１に対してローレベルの電源制御信号Ｄ４を送出する。これにより、メカニカルスイッチ２１は外付け電話機２２を公衆回線２０から切り離して外付け電話検出回路１８に接続するように動作する。また、電源制御スイッチ３１が閉結して、外付け電話検出回路１８に対して電源ＶＣＣ１の供給が開始される。
【００３４】
次に、回線制御デバイス１７は、ステップＳ１０２において、外付け電話検出回路１８からのオフフック検出信号Ｄ２の送出、あるいは、外付け電話機２２への呼び出し信号の受信がなされたか否かを判断する。そして、外付け電話検出回路１８からのオフフック検出信号Ｄ２が送出されておらず、且つ、外付け電話機２２への呼び出し信号も受信していない場合は（ステップＳ１０２：ＮＯ）、ステップＳ１０１のローレベルのリレー制御信号Ｄ１およびローレベルの電源制御信号Ｄ４の送出を繰り返す。
【００３５】
一方、外付け電話検出回路１８からオフフック検出信号Ｄ２が送出された場合、あるいは、外付け電話機２２への呼び出し信号の受信がなされた場合は（ステップＳ１０２：ＹＥＳ）、回線制御デバイス１７は、次のステップＳ１０３において、メカニカルスイッチ２１に対してハイレベルのリレー制御信号Ｄ１を送出するとともに、電源制御スイッチ３１に対してハイレベルの電源制御信号Ｄ４を送出する。これにより、メカニカルスイッチ２１は外付け電話機２２を公衆回線２０に接続するように動作する。また、電源制御スイッチ３１は開放し、外付け電話検出回路１８に対する電源ＶＣＣ１の供給が遮断される。
【００３６】
次に、回線制御デバイス１７は、ステップＳ１０４において、外付け電話機２２がオンフック状態になったか否かを判断する。そして、外付け電話機２２がオフフック状態のままであれば（ステップＳ１０４：ＮＯ）、ステップＳ１０３のハイレベルのリレー制御信号Ｄ１およびハイレベルの電源制御信号Ｄ４の送出を繰り返す。一方、外付け電話機２２がオンフック状態になった場合には（ステップＳ１０４：ＹＥＳ）、ステップＳ１０１にリターンして、メカニカルスイッチ２１に対してローレベルのリレー制御信号Ｄ１を送出するとともに、電源制御スイッチ３１に対してローレベルの電源制御信号Ｄ４を送出し、以降の処理を繰り返す。
【００３７】
以上のように、第１実施例では、回線制御デバイス１７が、メカニカルスイッチ２１に対してリレー制御信号Ｄ１を送出するのと同期して電源制御スイッチ３１に対して電源制御信号Ｄ４を送出することで電源制御スイッチ３１の動作を制御し、外付け電話機２２が公衆回線２０から切り離されている間は外付け電話検出回路１８に対して電源ＶＣＣ１が供給され、外付け電話機２２が公衆回線２０に接続されている間は外付け電話検出回路１８への電源供給が遮断されるようにしている。したがって、外付け電話機２２が公衆回線２０から切り離されて外付け電話検出回路１８に接続されている場合にのみ外付け電話検出回路１８に対して電源ＶＣＣ１を供給することができ、無駄な消費電力を低減できる。
【００３８】
（第２実施例）
次に、外付け電話検出回路１８への電源供給制御の他の例（第２実施例）について、図６を参照して説明する。図６は、第２実施例における回線コントローラボード１６のブロック図である。本実施例は、図６に示すように、外付け電話検出回路１８がオフフック検出回路１８ａとダイヤル検出回路１８ｂとを含んでいることは第１実施例と同様であるが、オフフック検出回路１８ａにより外付け電話機２２のオフフック状態が検出されたときにダイヤル検出回路１８ｂに対する電源供給を開始し、外付け電話機２２のダイヤル操作が終了したときにダイヤル検出回路１８ｂに対する電源供給を遮断するようにしたものである。
【００３９】
第１実施例では、上述したように、外付け電話機２２が公衆回線２０から切り離されて外付け電話検出回路１８に接続されたときに、外付け電話検出回路１８に対して電源ＶＣＣ１が供給されるようにしている。つまり、第１実施例では、外付け電話機２２が公衆回線２０から切り離されて外付け電話検出回路１８に接続されると、外付け電話検出回路１８内のオフフック検出回路１８ａとダイヤル検出回路１８ｂの双方に、電源ＶＣＣ１が供給される。
【００４０】
しかしながら、外付け電話機２２を用いてダイヤルボタンをユーザが使用するのは、外付け電話機２２の受話器を持ち上げたとき、つまり外付け電話機２２がオフフック状態になったときのみである。このため、外付け電話機２２のオフフック状態がオフフック検出回路１８ａによって検出されるまでは、ダイヤル検出回路１８ｂの機能は使用されない。したがって、外付け電話機２２が公衆回線２０から切り離されて外付け電話検出回路１８に接続された段階でオフフック検出回路１８ａとダイヤル検出回路１８ｂの双方に電源ＶＣＣ１を供給すると、オフフック検出回路１８ａにより外付け電話機２２のオフフック状態が検出をするまでは、ダイヤル検出回路１８ｂで無駄に電力を消費していることになる。
【００４１】
この問題を解消するため、本実施例では、第１実施例で説明した電力制御スイッチ３１からダイヤル検出回路１８ｂにつながる電力供給ラインに、ダイヤル検出回路１８ｂへの電源供給を制御するための第２の電源制御スイッチ３２を設けている。そして、オフフック検出回路１８ａが外付け電話機２２のオフフック状態を検出してオフフック検出信号Ｄ２を送出したときに、このオフフック検出信号Ｄ２が回線制御デバイス１７だけでなく、第２の電源制御スイッチ３２にも入力されるようにしている。
【００４２】
第２の電源制御スイッチ３２は、通常はスイッチが開放状態であり、オフフック検出回路１８ａからオフフック検出信号Ｄ２が入力されるとスイッチを閉結し、ダイヤル検出回路１８ｂに対して電源ＶＣＣ２を供給する。また、第２の電源制御スイッチ３２は、外付け電話機２２のダイヤル操作が終了してダイヤル検出回路１８ｂからのＤＴＭＦ検出信号Ｄ３の送出が停止されると、スイッチを開放した状態に復帰する。したがって、ダイヤル検出回路１８ｂに対する電源ＶＣＣ２の供給は、オフフック検出回路１８ａにより外付け電話機２２のオフフック状態が検出されたときに開始され、外付け電話機２２をオンフックしたときに遮断されることになる。なお、本実施例における第２の電源制御スイッチ３２は、特許請求の範囲に記載の「第２の電源制御手段」に相当する。
【００４３】
以上のように、第２実施例では、オフフック検出回路１８ａにより外付け電話機２２のオフフック状態が検出されたときにダイヤル検出回路１８ｂに対する電源供給を開始し、外付け電話機２２をオンフックしたときにダイヤル検出回路１８ｂに対する電源供給を遮断するようにしているので、第１実施例よりもさらに無駄な消費電力を低減することができる。
【００４４】
（第３実施例）
次に、擬似鳴動回路をさらに備える構成での電源供給制御の具体的な一例（第３実施例）について、図７および図８を参照して説明する。図７は、擬似鳴動回路を備えた従来のファクシミリ装置における回線コントローラボードのブロック図、図８は、第３実施例における回線コントローラボード１６のブロック図である。なお、図７の従来例において、本実施例と共通する構成要素には同一の符号を付している。
【００４５】
外付け電話機２２が公衆回線２０から切り離されている状態で、公衆回線２０からファクシミリ装置１に対して発呼があった場合、回線制御デバイス１７が呼び出し信号を受信（オフフック）して、発呼要因が外付け電話機２２への呼び出しかどうかを判断する。ここで、発呼要因が外付け電話機２２への呼び出しである場合には外付け電話機２２の受話器をユーザに取らせるために、外付け電話機２２を鳴動させる必要がある。しかしながら、公衆回線２０からの発呼に対しては、回線制御デバイス１７で既にオフフックしてしまっているため、公衆回線２０からの鳴動は止まってしまう。したがって、外付け電話機２２を鳴動させるためには、ファクシミリ装置１自体が外付け電話機２２を鳴動させる必要がある。そのため、図７や図８に示すように、外付け電話機２２を擬似鳴動させる擬似鳴動回路２４を回線コントローラボード１６上に実装し、回線制御デバイス１７から送出される擬似鳴動制御信号Ｄ５によって擬似鳴動回路２４が外付け電話機２２を鳴動させるようにしている。
【００４６】
ここで、擬似鳴動回路２４を備える従来のファクシミリ装置では、図７に示すように、回線コントローラボード１６上の電源ＶＣＣを、回線制御デバイス１７および外付け電話検出回路１８と共通に、擬似鳴動回路２４に対しても供給する構成としている。このため、回線制御デバイス１７が公衆回線２０から外付け電話機２２への呼び出し信号を受信したとき、つまり、外付け電話機２２を擬似鳴動させる必要があるとき以外であっても、擬似鳴動回路２４に対して電源供給が行われ、無駄に電力を消費している問題があった。
【００４７】
これに対して、本実施例では、図８に示すように、回線コントローラボード１６上の電源ＶＣＣから擬似鳴動回路２４への電源供給ラインに、擬似鳴動回路２４への電源供給を制御するための第３の電源制御スイッチ３３を設けている。そして、回線制御デバイス１７から擬似鳴動回路２４へ供給する擬似鳴動制御信号Ｄ５が、第３の電源制御スイッチ３３にも入力されるようにしている。なお、回線コントローラボード１６上の電源ＶＣＣから外付け電話検出回路１８への電源供給ラインに、回線制御デバイス１７からの電源制御信号Ｄ４に応じて外付け電話検出回路１８への電源ＶＣＣ１の供給を制御する電源制御スイッチ３１を設けている点は、第１実施例と同様である。
【００４８】
第３の電源制御スイッチ３３は、通常はスイッチが開放状態であり、外付け電話機２２に対する呼び出し信号の受信に応じて回線制御デバイス１７から送出される擬似鳴動制御信号Ｄ５が入力されるとスイッチを閉結し、擬似鳴動回路２４に対して電源ＶＣＣ３を供給する。また、第３の電源制御スイッチ３３は、外付け電話機２２がオフフック状態となって回線制御デバイス１７からの擬似鳴動制御信号Ｄ５が停止されたとき、または外付け電話機２２を擬似鳴動させた状態が所定時間継続し、回線制御デバイス１７からの擬似鳴動制御信号Ｄ５が停止されたときに、スイッチを開放した状態に復帰する。したがって、擬似鳴動回路２４に対する電源ＶＣＣ３の供給は、外付け電話機２２に対する呼び出し信号を受信したときに開始され、外付け電話機２２がオフフック状態になったとき、または外付け電話機２２の擬似鳴動が所定時間継続されたときに遮断されることになる。なお、本実施例における第３の電源制御スイッチ３３は、特許請求の範囲に記載の「第３の電源制御手段」に相当する。
【００４９】
以上のように、第３実施例では、外付け電話機２２に対する呼び出し信号を受信したときに擬似鳴動回路２４に対する電源供給を開始し、外付け電話機２２がオフフック状態になったとき、または外付け電話機２２の擬似鳴動が所定時間継続されたときに擬似鳴動回路２４に対する電源供給を遮断するようにしているので、第１実施例よりもさらに無駄な消費電力を低減することができる。
【００５０】
（第４実施例）
次に、外付け電話検出回路１８への電源供給制御の他の例（第４実施例）について、図９を参照して説明する。図９は、第４実施例における回線コントローラボード１６のブロック図である。本実施例では、図９に示すように、回線コントローラボード１６の構成は第１実施例と同様であるが、ユーザが操作表示部１２を用いて外付け電話機２２をファクシミリ装置１に接続したことを示す設定情報を入力した場合に、その設定情報が操作表示部１２から回線制御デバイス１７に入力されるようになっている。また、回線制御デバイス１７から電源制御スイッチ３１に送出される電源制御信号Ｄ４の信号線は、回線制御デバイス１７からメカニカルスイッチ２１に対して送出されるリレー制御信号Ｄ１の信号線から独立している。
【００５１】
第１実施例では、外付け電話機２２がファクシミリ装置１に接続された状態であることを前提として、外付け電話機２２が公衆回線２０に接続されているか、あるいは公衆回線２０から切り離されて外付け電話検出回路１８に接続されているかに応じて、外付け電話検出回路１８への電源供給を制御している。しかしながら、外付け電話機２２はユーザが自由にファクシミリ装置１に着脱できるものである。また、外付け電話機２２がファクシミリ装置１に接続されていない状態と、外付け電話機２２がオンフックした状態とは、回線コントローラボード１６からみると同じ状態と判定され、両者を判別することができない。そのため、外付け電話機２２がファクシミリ装置１に接続されていない場合に外付け電話検出回路１８に対して電源供給を行うことも想定され、無駄に電力を消費してしまう懸念がある。
【００５２】
そこで、本実施例では、ユーザに対して、外付け電話機２２をファクシミリ装置１に接続した場合には操作表示部１２を用いて外付け電話機２２を接続したことを示す設定情報を入力すべきことを告知しておく。この告知は、例えば取扱説明書などによる情報提供であってもよいし、操作表示部１２にその旨の情報を表示するようにしてもよい。そして、ユーザが操作表示部１２を用いて外付け電話機２２をファクシミリ装置１に接続したことを示す設定情報を入力した場合に、その設定情報が操作表示部１２から回線制御デバイス１７に入力されるようにしている。
【００５３】
回線制御デバイス１７は、操作表示部１２からの設定情報によって、外付け電話機２２がファクシミリ装置１に接続されているか否かを判断する。そして、外付け電話機２２がファクシミリ装置１に接続されている場合には、第１実施例と同様に、リレー制御信号Ｄ１と同期した電源制御信号Ｄ４により電源制御スイッチ３１の動作を制御する。これにより、外付け電話機２２が公衆回線２０から切り離されている間は外付け電話検出回路１８に対して電源ＶＣＣ１が供給され、外付け電話機２２が公衆回線２０に接続されている間は外付け電話検出回路１８への電源供給が遮断されることになる。一方、外付け電話機２２がファクシミリ装置１に接続されていない場合には、メカニカルスイッチ２１に対して送出するリレー制御信号Ｄ１の状態にかかわらず、電源制御スイッチ３１に対して常にハイレベルとなる電源制御信号Ｄ４を送出する。これにより、電源制御スイッチ３１は常時スイッチを開放した状態となり、外付け電話検出回路１８への電源供給を遮断した状態が維持される。
【００５４】
以上のように、第４実施例では、外付け電話機２２がファクシミリ装置１に接続されている場合には、外付け電話機２２が公衆回線２０から切り離されている間は外付け電話検出回路１８に対して電源ＶＣＣ１が供給され、外付け電話機２２が公衆回線２０に接続されている間は外付け電話検出回路１８への電源供給が遮断されるようにし、外付け電話機２２がファクシミリ装置１に接続されていない場合には、電話検出回路１８への電源供給を遮断した状態が維持されるようにしているので、第１実施例よりもさらに無駄な消費電力を低減することができる。
【００５５】
（第５実施例）
次に、擬似鳴動回路をさらに備える構成での電源供給制御の他の例（第５実施例）について、図１０を参照して説明する。図１０は、第５実施例における回線コントローラボード１６のブロック図である。本実施例は、第３実施例と第４実施例とを組み合わせたものであり、図１０に示すように、第４実施例の構成に対して、第３実施例で説明した擬似鳴動回路２４および第３の電源制御スイッチ３３が追加されている。
【００５６】
本実施例では、第４実施例と同様に、回線制御デバイス１７が操作表示部１２からの設定情報によって外付け電話機２２がファクシミリ装置１に接続されているか否かを判断し、外付け電話機２２がファクシミリ装置１に接続されている場合にはリレー制御信号Ｄ１と同期した電源制御信号Ｄ４により電源制御スイッチ３１の動作を制御し、外付け電話機２２がファクシミリ装置１に接続されていない場合には電源制御スイッチ３１に対して常にハイレベルとなる電源制御信号Ｄ４を送出する。これにより、外付け電話機２２がファクシミリ装置１に接続されている場合は、外付け電話機２２が公衆回線２０から切り離されている間は外付け電話検出回路１８に対して電源ＶＣＣ１が供給され、外付け電話機２２が公衆回線２０に接続されている間は外付け電話検出回路１８への電源供給が遮断される。一方、外付け電話機２２がファクシミリ装置１に接続されていない場合は、電話検出回路１８への電源供給を遮断した状態が維持される。
【００５７】
また、第３の電源制御スイッチ３３は、第３実施例と同様に、回線制御デバイス１７から擬似鳴動信号Ｄ５が送出されると擬似鳴動回路２４に対する電源ＶＣＣ３の供給を開始し、回線制御デバイス１７からの擬似鳴動制御信号Ｄ５が停止されると擬似鳴動回路２４に対する電源ＶＣＣ３の供給を遮断するように動作する。
【００５８】
以上のように、第５実施例では、外付け電話検出回路１８に対する電源供給を第４実施例と同様に制御するとともに、擬似鳴動回路２４に対する電源供給を第３実施例と同様に制御するようにしているので、無駄な消費電力を大幅に低減することができる。
【００５９】
なお、以上説明した各実施例は、本発明の具体的な適用例を例示したものであり、本発明の技術範囲が実施例として開示した技術事項そのままに限定されるものではない。本発明の技術範囲は、実施例として開示した技術事項に技術常識を加味して容易に導かれる変形例、代替手段なども含むものである。
【符号の説明】
【００６０】
１  ファクシミリ装置
１２  操作表示部（設定情報入力手段）
１６  回線コントローラボード
１７  回線制御デバイス（回線制御手段）
１８  外付け電話検出回路
１８ａ  オフフック検出回路（オフフック検出手段）
１８ｂ  ダイヤル検出回路（ダイヤル検出手段）
２０  公衆回線
２１  メカニカルスイッチ（切り替え手段）
２２  外付け電話機
２４  擬似鳴動回路（擬似鳴動手段）
３１  電源制御スイッチ（第１の電源制御手段）
３２  第２の電源制御スイッチ（第２の電源制御手段）
３３  第３の電源制御スイッチ（第３の電源制御手段）
【先行技術文献】
【特許文献】
【００６１】
【特許文献１】特許第３６６１２１７号公報
【図１】
2012019280.tif 000003
【図２】
2012019280.tif 000004
【図３】
2012019280.tif 000005
【図４】
2012019280.tif 000006
【図５】
2012019280.tif 000007
【図６】
2012019280.tif 000008
【図７】
2012019280.tif 000009
【図８】
2012019280.tif 000010
【図９】
2012019280.tif 000011
【図１０】
2012019280.tif 000012